(57)【特許請求の範囲】
【請求項１】
複数の軌道と、
前記複数の軌道の間に位置する複数の試験領域と、
試験空間と、前記試験空間を加熱することに用いられる少なくとも１つの熱源と、前記複数の軌道のうちの２本に別々に摺動可能に収容されて、前記試験空間を前記複数の試験領域の何れかの上方に移動させる少なくとも1対のボールを含む移動可能な試験チャンバーと、
を備え、
前記複数の軌道は、複数の縦方向の軌道と、前記複数の縦方向の軌道に交差接続される複数の横方向の軌道とを含み、
前記複数の試験領域は、前記複数の縦方向の軌道に沿って前記複数の縦方向の軌道の間に配列される複数の待試験物配置領域と、前記複数の縦方向の軌道のうちの２本と前記複数の横方向の軌道のうちの２本で囲まれて形成される複数の緩衝領域とを含み、
前記試験空間の、前記少なくとも１対のボールが対向する方向に垂直な方向は、前記複数の縦方向の軌道に平行である
試験設備。
【請求項２】
前記移動可能な試験チャンバーは、
１対の側壁を更に含み、前記試験空間は、前記１対の側壁の間に介装され、前記１対のボールは、それぞれ前記１対の側壁の底面に設けられる請求項１に記載の試験設備。
【請求項３】
前記移動可能な試験チャンバーは、
前記試験空間の対向する両端を覆い、巻き上げできる１対の断熱カーテンを更に含む請求項１に記載の試験設備。
【請求項４】
前記移動可能な試験チャンバーは、
中の空気を排出するための少なくとも１つの排気口と、
外から中に空気を吸入するための少なくとも１つの空気取り入れ口と
を更に含む請求項１に記載の試験設備。
【請求項５】
前記移動可能な試験チャンバーは、
その温度を検出するための少なくとも１つの温度センサーと、
前記温度センサーの感知した温度を表示するための少なくとも１つの温度モニターと
を更に含む請求項１に記載の試験設備。
【発明の詳細な説明】
【技術分野】
【０００１】
本発明は、試験設備に関し、特に、バーンイン試験（Ｂｕｒｎ‐ｉｎ  Ｔｅｓｔ）用の試験設備及びその移動可能な試験チャンバーに関する。
【背景技術】
【０００２】
現在、各種の電子製品は、正式に販売される前に、その信頼度を確保するために、事先にバーンイン試験（Ｂｕｒｎ‐ｉｎ  Ｔｅｓｔ）を行うことが一般的である。普通の室温で行われたバーンイン試験は、一般的に、長時間を費やさなければ、製品の信頼度を確保できない。例として、普通の室温で周波数変換器のような電子製品に対してバーンイン試験をしようとする場合、少なくでも４８時間掛かり、このような長時間の試験は、必ず莫大な労力及び電力を費やし、日増しに高まる増産ニーズを満足することができない。しかしながら、試験時間を短縮すれば、製品の信頼度を保障できなくなる。
【０００３】
このような困難を解決するために、バーンイン試験ステーションで高温試験チャンバーを装設することで、製品を一定の高温で作動（例えば、摂氏５０度）させるメーカーが次第に現れるようになる。このようにして、バーンイン試験の厳しい条件を維持し、製品の信頼度を保障することができるだけではなく、さらに、バーンイン試験の時間を短縮することもできる。
【０００４】
しかしながら、バーンイン試験の時間を短縮するために、複数台の製品を同時に試験することが一般的であるため、それに対して、複数台の高温試験チャンバーを配置しなければならない。例として、６台の周波数変換器に対してバーンイン試験しょうとする場合、同時に６台の高温試験チャンバーを配置しなければならないので、費用負担を増やすしかない。
【０００５】
また、キャビネット型の周波数変換器を例として、従来の操作モードは、まず、周波数変換器のシステムタンクを高温試験チャンバーに置いて、そして、モジュール、変圧器、冷却ファン等の装置をシステムタンクに組み込んで、最後に配線、清掃等を行い、作業上かなり不便であり、時間の無駄遣いにもなる。
【０００６】
また、中電圧ドライバー（Ｍｅｄｉｕｍ  Ｖｏｌｔａｇｅ  Ｄｒｉｖｅ；ＭＶＤ）等のような高圧・大電流・大電力の駆動器は、一般的には、重装備類製品に属し、その重量が十数トン又は数十トン程度であることは普通である。そのため、このような製品に対する高温バーンイン試験は、国内外の業界でずっと克服したい難点である。普通に考えると、高温バーンイン試験チャンバーを構築した後、大変苦労して此れほど巨大な製品を試験チャンバーに積み込み、又は試験チャンバーから積み卸すことは非常に不便であるので、通常、実際にそぐわないと思われて放棄され、これらの巨大な製品を室温でバーンインさせるしかない。
【発明の概要】
【発明が解決しようとする課題】
【０００７】
前記事情を鑑みて、本発明の技術態様は、試験設備及びそれに用いられる移動可能な試験チャンバーを提供して、大型製品を試験チャンバーに積み込み、又は試験チャンバーから積み卸す問題を解決する（実際には、大型製品を動かさないまま、大型製品を覆うように移動可能なバーンイン試験チャンバーを移動させる）。
【０００８】
このように、バーンイン試験チャンバーの中に、大型製品に対して高温バーンイン試験をすることは、製品の品質を確保できるだけでなく、バーンイン試験にかかる時間を大幅に短縮することもできる。
【課題を解決するための手段】
【０００９】
本発明の１つの目的は、１台の移動可能な試験チャンバーを用いて、複数台の待試験物のバーンイン試験環境とすることで、従来の技術のように複数台の試験チャンバーによる費用を大幅に削減することにある。
【００１０】
前記の目的を達成するために、本発明の一実施形態によると、試験設備は、複数の軌道と、複数の試験領域と、移動可能な試験チャンバーと、を備える。前記試験領域は、前記軌道の間に位置する。移動可能な試験チャンバーは、試験空間と、少なくとも１つの熱源と、少なくとも１対のボールと、を含む。熱源は、試験空間を加熱することに用いられる。前記１対のボールは、別々に摺動可能に２本の軌道に収容されて、試験空間を異なる試験領域の上方に移動させる。
【００１１】
本発明の別の実施形態によると、移動可能な試験チャンバーは、１対の側壁と、試験空間と、１対の断熱カーテンと、少なくとも１つの熱源と、少なくとも１対のボールと、を含む。試験空間は、前記１対の側壁の間に介装される。前記１対の断熱カーテンは、巻き上げができるように試験空間の対向する両端を覆うことができ、また、前記１対の側壁と共に試験空間を形成する。熱源は、試験空間を加熱することに用いられる。前記１対のボールは、それぞれ前記１対の側壁の底面に設けられる。
【発明の効果】
【００１２】
前記実施形態によると、本発明は、ボールを有する移動可能な試験チャンバーが軌道で摺動することによって、移動可能な試験チャンバーを異なる各試験領域に移動して、異なる待試験物（例えば、異なる周波数変換器）のバーンイン試験環境とすることができる。そのため、本発明の前記実施形態は、１台の試験チャンバーのみを用いて、複数台の待試験物のバーンイン試験環境とすることができ、従来の技術のように複数台の試験チャンバーによる高い費用が大幅に削減される。
【００１３】
また、本発明の実施形態によると、移動可能な試験チャンバーがある待試験物に用いられると同時に、試験者は、次の待試験物を組み立て、又は試験された前の製品を分解することができるので、バーンイン試験の時間を短縮することができる。
【００１４】
以上述べた内容は、本発明が解决しようとする課題、課題を解决するための技術手段、発明の効果等を記述するためのものであり、本発明の具体的な細部を、下記の実施形態及び関連図面において詳しく説明する。
【図面の簡単な説明】
【００１５】
下記図面の説明は、本発明の前記または他の目的、特徴、メリット、実施例をより分かりやすくするためのものである。
【００１６】
【図１】本発明の一実施形態による試験設備を示す模式図である。
【図２】本発明の一実施形態による軌道を示す断面図である。
【図３】本発明の一実施形態による移動可能な試験チャンバーの動作態様を示す斜視図である。
【図４】図３に示した移動可能な試験チャンバーの別の動作態様を示す斜視図である。
【図５】本発明の一実施形態によるボールを示す断面図である。
【発明を実施するための形態】
【００１７】
以下、図面によって本発明の複数の実施形態を開示し、説明を明確にするために、たくさんの実務上の細部については、以下の記述において一括して説明する。しかしながら、当業者であれば、本発明の一部の実施形態において、これらの実務上の細部は、必要ではないので、本発明を限定するためのものではないことが理解すべきである。また、図面を簡素化するために、熟知の構造及び素子については、簡単に模式的に図示する。
【００１８】
図１は、本発明の一実施形態による試験設備を示す模式図である。図に示すように、本実施形態の試験設備は、複数の軌道２００と、複数の試験領域３００と、移動可能な試験チャンバー１００と、を備えることができる。前記試験領域３００は、前記軌道２００の間に位置する。移動可能な試験チャンバー１００は、試験空間１２０と、少なくとも１つの熱源１５０と、少なくとも１対のボール１４０と、を含む。熱源１５０は、試験空間１２０を加熱することに用いられる。前記１対のボール１４０は、別々に摺動可能に２本の軌道２００に収容されて、試験空間１２０を異なる試験領域３００の上方に移動させる。
【００１９】
本発明の前記実施形態は、移動可能な試験チャンバー１００の下方にボール１４０を設けて、ボール１４０を軌道２００で摺動させ、また、移動可能な試験チャンバー１００が貫通した試験空間１２０を有するため、移動する場合、試験領域３００に複数の待試験物（例えば、周波数変換器のキャビネット等）が既に配置されたとしても、移動可能な試験チャンバー１００は、円滑に各試験領域３００の上方に移動して、熱源１５０によって加熱されることで、バーンイン試験の環境温度を向上させることもできる。そのため、本発明の前記実施形態は、１台の移動可能な試験チャンバー１００のみを用いて、複数台の待試験物（例えば、周波数変換器のキャビネット等）のバーンイン試験環境とすることができ、従来の技術のように複数台の試験チャンバーによる高い費用が大幅に削減される。
【００２０】
一部の実施形態において、移動可能な試験チャンバー１００は、１対の側壁１１０を更に含むことができる。試験空間１２０は、前記１対の側壁１１０の間に介装される。一部の実施形態において、前記１対のボール１４０は、別々に前記１対の側壁１１０の底面１１２に設けられる。具体的には、側壁１１０の底面１１２は、軌道２００に対向し、ボール１４０は、側壁１１０の底面１１２と軌道２００との間に位置する。これにより、ボール１４０は、側壁１１０を搭載して摺動可能に軌道２００に収容されることができ、ボール１４０は、摺動する場合、側壁１１０を連動して移動させて、移動可能な試験チャンバー１００を移動させることができる。
【００２１】
一部の実施形態において、移動可能な試験チャンバー１００は、試験空間１２０の対向する両端を覆い、巻き上げできる１対の断熱カーテン１３０を更に含める。具体的には、本図から見れば、側壁１１０は、試験空間１２０の左右両側、即ち、ｘ方向に沿う両側に位置し、断熱カーテン１３０は、試験空間１２０の前後両端、即ち、ｙ方向に沿う両端に設けられる。これにより、断熱カーテン１３０が試験空間１２０を覆うときに、熱エネルギーの外への拡散を遮断して、熱源１５０の加熱に有利であり、移動可能な試験チャンバー１００の内部温度を向上させ、待試験物（例えば、周波数変換器のキャビネット等）のバーンイン試験に寄与することができる。
【００２２】
また、断熱カーテン１３０が巻き上げができるように試験空間１２０を覆うことができるため、移動可能な試験チャンバー１００を移動しようとする場合、断熱カーテン１３０を巻き上げると移動できるようになる。一部の実施形態において、断熱カーテン１３０は、断熱材で製作され、手動又は電動の方式で巻き上げ、又は降下できる巻き上げカーテンであってよい。
【００２３】
一部の実施形態において、軌道２００は、複数の縦方向の軌道２１０を含むことができ、試験領域３００は、複数の待試験物配置領域３１０を含むことができる。前記待試験物配置領域３１０は、縦方向の軌道２１０の長さ方向に沿って、前記縦方向の軌道２１０の間に配列される。図に示すように、縦方向の軌道２１０の長さ方向は、ｙ方向に平行してよく、待試験物配置領域３１０は、２本の縦方向の軌道２１０の間に位置して、その長さ方向に沿って配列されてよい。つまり、待試験物配置領域３１０は、ｙ方向に沿って配列されてよく、各待試験物配置領域３１０の両側に、１本の縦方向の軌道２１０が配置されている。
【００２４】
一部の実施形態において、試験空間１２０の１対のボール１４０が対向する方向に垂直な方向は、縦方向の軌道２１０の長さ方向に平行する。具体的には、試験空間１２０の１対のボール１４０が対向する方向に垂直な方向は、ｙ方向に平行し、縦方向の軌道２１０の長さ方向も、ｙ方向に平行する。当業者であれば、試験空間１２０の１対のボール１４０が対向する方向に垂直な方向は、試験空間１２０の前後両端を貫通する方向を代表することが理解すべきである。
【００２５】
これにより、移動可能な試験チャンバー１００のボール１４０は、縦方向の軌道２１０で摺動する場合、試験空間１２０を連動してｙ方向に沿って移動させて、移動可能な試験チャンバー１００を何れかの待試験物配置領域３１０に移動させて、異なる待試験物（例えば、周波数変換器のキャビネット等）のバーンイン試験環境とすることができる。
【００２６】
一部の実施形態において、軌道２００は、縦方向の軌道２１０に交差接続される複数の横方向の軌道２２０を含むことができる。試験領域３００は、何れも２本の縦方向の軌道２１０と前記横方向の軌道２２０で囲まれて形成される複数の緩衝領域３２０を含む。図に示すように、横方向の軌道２２０の長さ方向は、ｘ方向に平行してよく、緩衝領域３２０は、ｙ方向に沿う２本の縦方向の軌道２１０、及びｘ方向に沿う２本の横方向の軌道２２０で囲まれて形成されることができる。つまり、緩衝領域３２０の上下両側に、２本の横方向の軌道２２０が配置されて、左右両側に、２本の縦方向の軌道２１０が配置されている。
【００２７】
緩衝領域３２０と待試験物配置領域３１０との相違点は、主に、緩衝領域３２０の上方には、いかなる待試験物（例えば、周波数変換器のキャビネット等）も配置されていないため、移動可能な試験チャンバー１００がｘ方向の両側に沿っている側壁１１０を有しても、緩衝領域３２０は、移動可能な試験チャンバー１００を横移動させ、即ち、ｘ方向に沿って移動させることができることにある。
【００２８】
具体的には、ボール１４０は、縦方向の軌道２１０で摺動できるほか、横方向の軌道２２０で摺動することもできる。これにより、移動可能な試験チャンバー１００が縦方向の軌道２１０によって矢印Ａの方向に沿って図に示した左側の待試験物配置領域３１０から、図に示した左側の緩衝領域３２０まで移動すると、横方向の軌道２２０によって矢印Ｂの方向に沿って図に示した右側の緩衝領域３２０に移動することができ、図に示した右側の緩衝領域３２０まで移動した後、矢印Ｃに沿って図に示した右側の待試験物配置領域３１０に移動することができる。つまり、緩衝領域３２０は、移動可能な試験チャンバー１００がｘ方向に沿って移動することに寄与することができ、移動可能な試験チャンバー１００がｙ方向での移動に限られないことにする。これにより、移動可能な試験チャンバー１００は、単に所定の２本の縦方向の軌道２１０の間での移動に限らず、異なる縦方向の軌道２１０の間の待試験物配置領域３１０まで移動されることができる。
【００２９】
図２は、本発明の一実施形態による軌道２００を示す断面図である。図に示すように、本実施形態は、軌道２００の一部を覆うことができる複数のカバープレート４００を更に含むことができる。具体的には、移動可能な試験チャンバー１００が移動しない時、カバープレート４００を軌道２００に覆うことができ、一方では、ほこりが軌道２００に落ち込むことを避けことができ、他方では、軌道２００を自由に摺動させないようにボール１４０（図１参照）を当接することができる。一部の実施形態において、カバープレート４００は、形状及び寸法が軌道２００とぴったり合って、軌道２００を緊密に覆うためになる。例として、断面から見れば、軌道２００は、Ｕ形状の凹溝であってよく、カバープレート４００は、ぴったりこのＵ形状の凹溝に収納されることができる。
【００３０】
図３は、本発明の一実施形態による移動可能な試験チャンバー１００の一動作態様を示す斜視図である。図４は、図３に示した移動可能な試験チャンバー１００の別の動作態様を示す斜視図である。図３及び図４に示すように、本実施形態の移動可能な試験チャンバー１００は、１対の側壁１１０と、試験空間１２０と、１対の断熱カーテン１３０と、少なくとも１つの熱源１５０と、少なくとも１対のボール１４０と、を含む。通路１２０は、前記１対の側壁１１０の間に介装される。前記１対の断熱カーテン１３０は、巻き上げできるように試験空間１２０の対向する両端を覆うことができ、また、前記１対の側壁１１０と共に閉じた試験空間１２５を形成する。熱源１５０は、閉じた試験空間１２５を加熱することに用いられる。前記１対のボール１４０は、それぞれ前記１対の側壁１１０の底面１１２に設けられる。
【００３１】
本発明の前記実施形態は、ボール１４０を移動可能な試験チャンバー１００の側壁１１０の底面１１２に設けて、側壁１１０の間に試験空間１２０を介装することができる。これにより、移動可能な試験チャンバー１００は、ボール１４０によって、自由に又は所定の方向に沿って移動することができる。断熱カーテン１３０が巻き上げられる場合（図３に示すように）、試験空間１２０は、待試験物（例えば、周波数変換器のキャビネット等）を移動可能な試験チャンバー１００に収納することができる。バーンイン試験をしようとする場合、断熱カーテン１３０を降下して試験空間１２０の対向する両端（図４に示すように）を覆って、側壁１１０と共に閉じた試験空間１２５を形成することができ、そして、熱源１５０により閉じた試験空間１２５を加熱することで、バーンイン試験の環境温度の向上に寄与することができる。
【００３２】
一部の実施形態において、移動可能な試験チャンバー１００は、中の空気を排出するための少なくとも１つの排気口１６０を更に含むことができる。具体的には、熱源１５０は、閉じた試験空間１２５に対して継続的に熱エネルギーを提供するため、閉じた試験空間１２５の空気の温度が上がり続ける。しかしながら、バーンイン試験をする場合、一般的に、試験者は、温度が上がり続けず、定常値（例えば、摂氏５０度）に保持されることを図っている。そのため、本発明の実施形態は、排気口１６０を用いて閉じた試験空間１２５における高温空気を排出して、温度上昇を緩める。一部の実施形態において、排気口１６０は、外部の排気管（図示しない）に接続されて、閉じた試験空間１２５における高温空気の排出を速めることができる。
【００３３】
また、一部の実施形態において、移動可能な試験チャンバー１００は、外から中に空気を吸入するための少なくとも１つの空気取り入れ口１７０を更に含むことができる。これにより、空気取り入れ口１７０は、外の低温空気を移動可能な試験チャンバー１００の中に入れることで、温度上昇を緩めることができる。
【００３４】
一部の実施形態において、移動可能な試験チャンバー１００は、排気口１６０と空気取り入れ口１７０を同時に備えて、排気口１６０によって内部の高温空気を排出すると共に、空気取り入れ口１７０によって外の低温空気を吸入して、温度を一定に保つ効果（例えば、閉じた試験空間１２５内の温度を摂氏５０度程度に維持する）の達成に寄与することができる。具体的には、空気の流通を利するために、排気口１６０は、前記１対の側壁１１０の一方に設置されて、空気取り入れ口１７０は、排気口１６０に対向する前記１対の側壁１１０の他方に設置されることができる。例として、図３及び図４に示すように、排気口１６０は、図に示した左側の側壁１１０に設置され、空気取り入れ口１７０は、図に示した右側の側壁１１０に設置される。
【００３５】
一部の実施形態において、移動可能な試験チャンバー１００は、その温度を検出するための少なくとも１つの温度センサー１８０を更に含むことができる。具体的には、温度センサー１８０は、移動可能な試験チャンバー１００の閉じた試験空間１２５の中に設けられて、閉じた試験空間１２５の温度を検出して、温度が正常であるかどうかについて試験者に判断の参考になれる。図３及び図４に示すように、温度センサー１８０は、移動可能な試験チャンバー１００のトップに設けられ、２つの熱源１５０の間に位置することができる。
【００３６】
一部の実施形態において、移動可能な試験チャンバー１００は、温度センサー１８０の感知した温度を表示するための少なくとも１つの温度モニター１９０を更に含むことができる。具体的には、温度モニター１９０は、その中の１つの側壁１１０の外表面に設けられることができる。これにより、試験者は、移動可能な試験チャンバー１００の外で閉じた試験空間１２５における温度状况を分かることができる。図３及び図４に示すように、温度モニター１９０は、空気取り入れ口１７０と共に同一の側壁１１０に設けられることができる。
【００３７】
一部の実施形態において、ボール１４０は、全方向に移動できるボール（ball transfer unit）であってよい。例として、本発明の一実施形態によるボール１４０を示す断面図である図５を参照する。図に示すように、ボール１４０は、第１球体１４１と、ボールホルダー１４２と、円弧形溝１４３と、複数の第２球体１４４と、隙間１４５と、を含める。円弧形溝１４３は、ボールホルダー１４２に掘設され、前記第２球体１４４は、円弧形溝１４３に収容され、第１球体１４１により当接される。第２球体１４４が円弧形溝１４３において任意の方向へ回転することができ、第１球体１４１が第２球体１４４に対して任意の方向へ回転することもでるため、第１球体１４１は、回転方向が制限されなく、全方向に移動できるボールになる。また、隙間１４５は、第１球体１４１とボールホルダー１４２との間に形成されることで、第１球体１４１が回転する時にボールホルダー１４２を摩擦することを避ける。
【００３８】
一部の実施形態において、熱源１５０は、移動可能な試験チャンバー１００のトップに等距離又は不等距離に設けられて、外から電流を通し熱エネルギーを発生して、熱放射の方式によって閉じた試験空間１２５を加熱する電熱管であってよいが、前記手段に限定されるものではない。
【００３９】
本発明では実施形態を前述の通りに開示したが、これは本発明を限定するものではなく、当業者であれば、本発明の精神と領域から逸脱しない限り、多様の変更や修正を加えることができる。従って、本発明の保護範囲は、下記の特許請求の範囲で指定した内容を基準とする。
【符号の説明】
【００４０】
１００  移動可能な試験チャンバー
１１０  側壁
１１２  底面
１２０  試験空間
１２５  閉じた試験空間
１３０  断熱カーテン
１４０  ボール
１４１  第１球体
１４２  ボールホルダー
１４３  円弧形溝
１４４  第２球体
１４５  隙間
１５０  熱源
１６０  排気口
１７０  空気取り入れ口
１８０  温度センサー
１９０  温度モニター
２００  軌道
２１０  縦方向の軌道
２２０  横方向の軌道
３００  試験領域
３１０  待試験物配置領域
３２０  緩衝領域
４００  カバープレート
Ａ、Ｂ、Ｃ  矢印
【図１】
0005568814.tif 000002
【図２】
0005568814.tif 000003
【図３】
0005568814.tif 000004
【図４】
0005568814.tif 000005
【図５】
0005568814.tif 000006